(57)【要約】対象移動局（１０４）が自動応答モードで動作している。対象移動局（１０４）で少なくとも１つのセッション勧誘（１０６）が受信される。セッション勧誘（１０６）は、ユーザにセッション勧誘（１０６）を手動で受け入れるよう要求し、これにより、自動応答モードが少なくとも一時的に無効になる。少なくとも１つのセッション勧誘（１０６）を手動で受け入れるかどうかについての決定がなされる。
2007535885.tif 000002
【特許請求の範囲】
【請求項１】
思いやり方式で通信セッションを起動する方法であって、
対象移動局を自動応答モードで動作させる工程と、
少なくとも１つのセッション勧誘を対象移動局で受信する工程と、
前記セッション勧誘が、ユーザにセッション勧誘を手動で受け入れるよう要求し、これにより、前記自動応答モードが少なくとも一時的に無効になる、前記工程と、
前記少なくとも１つのセッション勧誘を手動で受け入れるかどうかを決定する工程と、
を含む方法。
【請求項２】
前記少なくとも１つのセッション勧誘に加え媒体も受信する工程を更に含む請求項１に記載の方法。
【請求項３】
前記媒体が送られるのは、ユーザが前記少なくとも１つのセッション勧誘を手動で受け入れたときのみである、請求項２に記載の方法。
【請求項４】
前記決定する工程で、前記対象移動局のユーザが前記少なくとも１つのセッション勧誘を手動で受け入れる結果になったときに、実質的には前記対象移動局のユーザが受け入れた直後に、前記ユーザに向けて前記媒体を送る工程を更に含む請求項２に記載の方法。
【請求項５】
前記決定する工程で、前記対象移動局のユーザが前記少なくとも１つのセッション勧誘を手動で受け入れない結果になったときに、後で利用するかもしれないので前記媒体をメモリに保存する工程を一回以上行う工程と前記媒体を廃棄する工程とを更に含む請求項２に記載の方法。
【請求項６】
請求項２に記載の方法であって、
前記少なくとも１つのセッション勧誘が手動で受け入れられるまでは、前記媒体を、そサービス品質（ＱｏＳ）を下げて前記対象移動局に送る工程と、
前記少なくとも１つのセッション勧誘が手動で受け入れられた後では、前記媒体を、サービス品質（ＱｏＳ）を上げて前記対象移動局に送る工程と、
を更に含む方法。
【請求項７】
思いやり方式で通信セッションを起動する方法であって、
少なくとも１つのセッション勧誘を形成する工程と、前記セッション勧誘が、自動応答モードで動作している対象移動局のユーザに、前記セッション勧誘を手動で受け入れるよう要求し、
前記少なくとも１つのセッション勧誘を前記対象移動局に送る工程と、
を含む方法。
【請求項８】
媒体を記録する工程と、前記媒体を、前記少なくとも１つのセッション勧誘と共に前記対象移動局へと送信する工程とを更に含む請求項７に記載の方法。
【請求項９】
移動局であって、
入力を有する受信機と、
入力装置と、
前記受信機及び前記入力装置に結合された制御装置と、を備え、
前記制御装置が前記受信機の入力で少なくとも１つのセッション勧誘を受信するようプログラムされており、前記少なくとも１つのセッション勧誘が、同セッション勧誘を手動で受け入れるよう前記移動局のユーザに要求し、これにより、前記移動局の自動応答モードが少なくとも一時的に無効になり、前記制御装置が、前記少なくとも１つのセッション勧誘を受け入れるかどうかを、前記入力装置で受信したユーザ入力に少なくとも部分的に基づいて決定するよう更にプログラムされた、
移動局。
【請求項１０】
前記受信機が、前記少なくとも１つのセッション勧誘と共に媒体をも受信する請求項９に記載の移動局。
【請求項１１】
前記制御装置が、前記媒体を、実質的には前記ユーザが受け入れた直後に前記ユーザに向けて送るよう更にプログラムされた請求項１０に記載の移動局。
【発明の詳細な説明】
【技術分野】
【０００１】
本発明の分野はネットワーク群を介した通信のルーティングに関し、より具体的には、そのネットワーク群の中で思いやり通信（ｐｏｌｉｔｅ  ｃｏｍｍｕｎｉｃａｔｉｏｎ）をもたらすことに関する。
【背景技術】
【０００２】
プッシュトゥトーク（ＰＴＴ）及びプッシュトゥイメージ（ｐｕｓｈ−ｔｏ−ｉｍａｇｅ）などの種々のタイプの通信サービスによって、メッセージ及び／又は他の媒体を対象ユーザに迅速に都合よく送る為の高速で信頼できる方法が発信ユーザに提供されている。例えば、ＰＴＴシステムでは、発信移動局のユーザが通信チャネルを確立するＰＴＴボタンを押すことにより、対象移動局のユーザと通信し、対象移動局のユーザに音声メッセージを送る。
【０００３】
移動局は典型的に、多様な状態や多様なモードで動作する。例えば、多くの移動局が自動応答状態で動作し、この自動応答状態によって、受信された呼が所定の呼処理の方法に従って自動的に処理される。別の例では、移動局は、ユーザがどのように着信それぞれを取り扱うかを手動で決定する必要のある手動応答状態で動作することがある。
【０００４】
既知のＰＴＴシステムは、対象移動局のユーザが、発信移動局のユーザから送られた望ましくないメッセージで中断されないよう、思いやり通信機能を提供することがある。こういった既知のシステムでは、音声メッセージを対象移動局に送る前に、まず通知メッセージを発信移動局から対象移動局へと送る必要があり、発信移動局は対象移動局のユーザの承認を待つ。
【０００５】
各ＰＴＴシステムにおけるメッセージ群の思いやり受信を提供する一方、この現行の各方法には重大な制限がある。例えば、通知メッセージも応答メッセージも発信移動局と対象移動局との間を行ったり来たりするので、システムに相当な遅延が起こる。ユーザと移動局との相互作用も増え、発信者も対象者も、何回も一度の呼の間に移動ユニットに触らなくてはならない。なおまた、多数のユーザ同士間で送られる多数のメッセージに関連付けられたメッセージ通信及びオーバーヘッドの量がかなり多いので、現行の各アプローチではグループ呼出を実行することができない。現行の各アプローチの別の重大な欠点は、移動局が、ユーザが呼を受け入れるかどうかを制御できない全自動応答モードか、呼ごとにユーザがその呼を受け入れるかどうかを手動で決定しなくてはならない完全手動応答モードか、のどちらかで動作する必要があることである。この柔軟性のなさによってユーザの欲求不満は高まり、ユーザがそのシステムを使用する意欲を低下させる。
【発明の開示】
【発明が解決しようとする課題】
【０００６】
発信移動局と対象移動局との間の通信を、現在自動応答の動作モードで動作している対象移動局にセッション勧誘（ｓｅｓｓｉｏｎ  ｉｎｖｉｔａｔｉｏｎ）を送ることにより、思いやり方式で（ｐｏｌｉｔｅｌｙ）起動し実行するシステム及び方法を提供する。セッション勧誘が対象のユーザに手動で受け入れられたとき、対象移動局の状態は一時的に手動応答モードに変わる。本明細書に記載したアプローチは、システム遅延時間を低減させ、必要なユーザの相互作用の回数を低減させ、グループ呼出を行う助けとなる。同時に、ユーザ同士間の高速通信も保たれる。
【課題を解決するための手段】
【０００７】
この実施形態の多くでは、対象移動局が自動応答モードで動作している。対象移動局では、少なくとも１つのセッション勧誘が受信される。セッション勧誘は、対象移動局のユーザにセッション勧誘を手動で受け入れるよう要求し、これにより、自動応答モードは少なくとも一時的に無効になる。対象移動局のユーザによって、セッション勧誘を手動で受け入れるかどうかについての決定がなされる。セッション勧誘のフォーマットはあらゆるフォーマットでよく、例えば、思いやり勧誘メッセージや自動応答オーバーライドメッセージなどである。セッション勧誘は他のものでもよい。
【０００８】
この実施形態の他の形態では、セッション勧誘と共に媒体が受信される。一つの例では、受信される媒体には音声メッセージが含まれている。他の例では、受信される媒体は、画像や、データや、画像と音声とデータとの組み合わせなどである。幾つかの例では、媒体は、ユーザがセッション勧誘を手動で受け入れたときのみ、対象移動局で表現される。
【０００９】
発信移動局と対象移動局との間では、種々のメッセージがやりとりされる場合がある。例えば、この実施形態のうち幾つかの形態では、セッション勧誘と共に渡された媒体の表現を対象移動局が完了したときに、通知メッセージが発信移動局に送られる。更に、他の例では、発信ユーザは、対象移動局がセッション勧誘を受け入れなかったことを知らされる。
【００１０】
対象移動局で受信された媒体を表現する為に更に別のオプションを使用してもよい。一つの例では、決定する工程で、セッション勧誘を対象移動局のユーザが手動で受け入れる結果になったときに、媒体を、実質的には対象移動局のユーザが受け入れた直後にユーザに向けて表現する。別の例では、決定する工程で、セッション勧誘を対象移動局のユーザが手動で受け入れない結果になったときに、媒体を、後で利用するかもしれないのでメモリに保存する。もう一つの別の例では、決定する工程で、セッション勧誘を対象移動局のユーザが手動で受け入れない結果になったときには、媒体を廃棄する。
【００１１】
前述のように、対象移動局のユーザが、少なくとも１つのセッション勧誘を手動で受け入れると決定した場合、媒体を実質上すぐにユーザに向けて表現してよい。この決定は、受け入れの際に自動でないことがあり、その上更に、種々の条件に基づいていることもある。例えば、決定は、当の対象移動局がスピーカーフォンを用いているかどうか、当の対象移動局がヘッドセットを用いているかどうか、当の対象移動局の現在の状態、所定のパーセンテージを上回る移動局又は呼がスピーカーフォンを用いている再生場所に当の対象移動局が位置しているかどうか、などに基づいていることがある。条件は他のものでもよい。
【００１２】
この実施形態の中には、発信移動局から対象移動局へと送られる媒体の品質が調整されている実施形態もある。例えば、対象移動局に送られる媒体は、セッション勧誘が手動で受け入れられるまでは、そのサービス品質（ＱｏＳ）を下げて送られる。別の例では、対象移動局に送られる媒体は、セッション勧誘が手動で受け入れられた後では、そのＱｏＳを上げて送られる。
【００１３】
このように、思いやり通信のやりとりはユーザ同士間で迅速かつ効率的になされる。本明細書に記載した各アプローチは、システムの遅延を著しく低減させ、他の先行技術の提案に比べユーザと機器との相互作用の回数を著しく低減させ、グループ呼出を行う助けとなる。なおまた、本アプローチは、ＰＴＴシステムなどの多くの現行の通信ネットワークで提供されている高速通信を維持する。
【発明を実施するための最良の形態】
【００１４】
本明細書の各図の要素が簡単明瞭に図示されており、必ずしも一律の縮尺に従っていない。例えば、種々の本発明の実施形態の理解を高める助けとなるよう、各図の要素のうち幾つかの寸法及び／又は相対位置付けが、他の要素と比べて誇張されている場合がある。更に、この種々の本発明の実施形態の図を容易に分かるようにする目的で、商業的に成り立つ実施形態で有用又は必要な共通だが周知の要素を、大抵は描写していない。更に、ある一定の操作及び／又は工程が特定の発生順に記載されている又は描写されており、順序についてのこの特定性は実際に必要ではない。更に、本明細書で用いられる各用語及び各表現の意味は、それぞれの対応する調査及び研究の各分野においてこのような用語及び表現に与えられる通常の意味であるが、これとは別に本明細書で特殊な意味を述べた場合はこの限りではない。
【００１５】
ここで図１を参照すると、記載されているのは、移動局同士間の思いやり通信のやりとりをするシステムの一例である。発信移動局１０２がセッション勧誘１０６を対象移動局１０４のユーザに送信する。セッション勧誘１０６を対象移動局１０４に送るには、第１の無線アクセスネットワーク（ＲＡＮ）１１０と、ネットワーク１１２と、第２のＲＡＮ１１４とを介せばよい。
【００１６】
移動局１０２及び移動局１０４は、持ち運びできる無線機器のどのタイプのものでもよい。その例としては、携帯電話、ページャ、携帯情報端末、ラップトップコンピュータなどがある。移動局は他のものでもよい。加えて、本明細書で記載された例は２つの移動局の間の呼の観点によるものであるが、当然のことながら、この数々のアプローチを３つ以上の移動局のグループ呼出にも適用できる。
【００１７】
移動局１０２及び移動局１０４は、一つ以上の動作モード又は動作状態で動作することがある。例えば、移動局１０２及び移動局１０４は動作を手作業で行うモードで動作することがあり、この場合にはユーザが手動で呼をひとつひとつ取り扱う。加えて、移動局１０２及び移動局１０４は動作を自動で行うモードで動作することもあり、この場合には呼の取り扱いが、自動的に決定され、移動局に保存されているポリシーに基づいている。更に、本明細書の他の所で説明されたように、移動局１０２及び移動局１０４は一時的手動応答モードで動作することもあり、この場合には一時的に自動応答モードは無効になる。この一時的手動応答モードでは、呼の持続時間の間に、ユーザは、発信移動局からの通信を受け入れるかどうかを手動で決定する。
【００１８】
セッション勧誘１０６は、ユーザがそのセッション勧誘を手動で受け入れるよう要求し、それによって、自動応答モードは少なくとも一時的に無効になる任意のタイプの通信である。セッション勧誘１０６は、一つの例では、思いやり勧誘メッセージであり、別の例では、オーバーライドメッセージである。セッション勧誘が思いやり勧誘メッセージの場合、メッセージには変更子（ｍｏｄｉｆｉｅｒ）が含まれる場合があり、この変更子は、発信移動局のユーザが対象移動局のユーザに対し思いやり勧誘メッセージを手動で受け入れるように要求していることを示す。
【００１９】
ＲＡＮ１１０及びＲＡＮ１１４は、移動局１０２と移動局１０４とがネットワーク１１２を介して互いに通信し合う為に必要な機能を供給する。この点に関して、ＲＡＮ１１０及びＲＡＮ１１４には、基地局、基地局制御装置、サーバ、ゲートウェイ、及び／又は他の機器があってよい。ネットワーク１１２は任意の単一のネットワーク又は通信を可能にするネットワーク群を組み合わせたものでよい。ネットワーク１１２は、有線ネットワークや無線ネットワークなどでよく、例えば、インターネットなどのエクストラネットや、無線ローカルエリアネットワーク（ＷＬＡＮ）や、セルラーネットワークや、こういったネットワーク又は他のネットワークを幾つか組み合わせたものなどでよい。
【００２０】
図１のシステムに関する動作の一つの例では、移動局１０４は自動応答モードで動作している。発信移動局１０２の第１のユーザ（「アリス（Ａｌｉｃｅ）」）がコンタクトリストを開いて対象局の第２のユーザ（「ボブ（Ｂｏｂ）」）がオンラインの状態であることを確かめ、思いやり方式でボブに電話をかけたいことを指示し、発信移動局のＰＴＴボタンを押す。これでセッション勧誘１０６が形成される。アリスは更に、ボブに送る為の媒体１０８（音声メッセージなど）を記録していいという表明（確認音など）を受信する場合がある。この音を受信した後で、アリスは媒体１０８を記録できる。
【００２１】
セッション勧誘１０６及び媒体１０８は、発信移動局１０２により送信され、対象移動局１０４で受信される。セッション勧誘１０６は、ボブにセッション勧誘１０６を手動で受け入れるよう要求し、これにより、現在対象移動局１０４の動作のモードである自動応答モードは少なくとも一時的に無効になる。警告音が再生され、アリスからのセッション勧誘を受信したことがボブに示される。この時点で、セッション勧誘１０６を、例えばＰＴＴボタン１１６を押すなどして手動で受け入れるかどうかについて、ボブが決定すればよい。
【００２２】
既に述べたとおり、セッション勧誘１０６と共に媒体１０８も移動局１０２から移動局１０４へと送られる。一つの例では、媒体１０８には音声メッセージが含まれる。他の例では、受信される媒体１０８は、画像や、データや、画像と音声とデータとの組み合わせなどである。
【００２３】
媒体１０８が移動局１０４で受信されボブがセッション勧誘１０６を受け入れ次第、媒体１０８を表現させるには別のオプションを使用すればよい。一つの例では、ボブがセッション勧誘１０６を手動で受け入れる場合、媒体１０８は実質上すぐにボブに向けて表現される。或いは、媒体は所定の遅延（例えば５秒）後にボブに向けて再生されてもよい。別の例では、ボブがセッション勧誘１０６を拒絶する場合、媒体１０８は、後で利用するかもしれないのでメモリに保存され、もう一つの別の例では、廃棄される。
【００２４】
ボブがセッション勧誘１０６を受け入れる場合、媒体１０８を実質上すぐにボブに向けて表現するかどうかについての決定は、自動でないことがあり、その上更に、多数の条件に基づいていることもある。例えば、決定は、対象移動局１０４がスピーカーフォンを用いているかどうか、対象移動局１０４がヘッドセットを用いているかどうか、当の対象移動局の現状、所定のパーセンテージを上回る呼がスピーカーフォンを用いている再生場所に対象移動局１０４が位置しているかどうか、などに基づいていることがある。条件は他のものでもよい。
【００２５】
図２は、思いやり通信のやりとりを容易にする移動局の一つの例である。移動局２００には、受信機２０２と、制御装置２０４と、メモリ２０８と、入力装置２０６とがある。
制御装置２０４は受信機２０２と入力装置２０６とに結合されている。制御装置２０４は受信機２０２の入力でセッション勧誘を受信するようプログラムされている。前述のように、セッション勧誘は移動局２００のユーザにセッション勧誘を手動で受け入れるよう要求し、これにより、移動局２００の自動応答モードは少なくとも一時的に無効になる。制御装置２０４は更に、入力装置２０６で受信されたユーザ入力に少なくとも部分的に基づいてセッション勧誘を受け入れるかどうかを決定するようプログラムされている。例えば、入力装置２０６が受け入れボタン又はＰＴＴボタンなら、ユーザがセッション勧誘を受け入れたことを、ボタンを押すことで制御装置２０４に伝える。
【００２６】
図３は、移動局の状態遷移図の一つの例である。移動局のモードは、最初は自動応答モード３０２である。この動作のモードでは、移動局に保存されている所定のポリシーに従って、受信した呼を自動的に取り扱う。工程３０４でセッション勧誘が到着しない場合、移動局は自動応答モードの状態３０２での動作を続行する。工程３０６でセッション勧誘が受信されると、実行は続行し、工程３０８で、自動応答状態を無効にする何らかの試みを選別するかどうかについての決定をユーザから受信する。例えば、対象移動体は互換性がなかったり自動応答オーバーライドの機能をサポートしていなかったりする。
【００２７】
受け入れること３１０がユーザにより示されると、移動局は工程３１２で一時的手動応答状態に入る。この状態３１２では、種々の媒体が受信され処理される、及び／又は、媒体をどのように処理するかをユーザが決定する。一つの例では、媒体は発信移動局のユーザからの音声メッセージであり、音声メッセージを実質上すぐに再生するという決定がなされる場合がある。呼の最後３１４に、移動局は一時的手動応答状態３１２から出て自動応答状態３０２に戻る。
【００２８】
セッション勧誘の受け入れ拒絶３１６がなされた場合、工程３１８では、移動局はメッセージを自動的に廃棄する。他の例では、メッセージが保存されたり、スピーカ・フォンを用いている場合には呼の音量を調整する決定もなされたりする。操作は他のものでもよい。操作が済んだ後、移動局は自動応答状態３０２に戻り３２０、来るべきセッション勧誘を待ち受ける。
【００２９】
図４は、発信移動局と対象移動局との間でなされる思いやり通信のやりとりの一つの例である。工程４０２では、セッション勧誘メッセージが形成され発信移動局から対象移動局へと送られる。セッション勧誘は、対象移動局のユーザにセッション勧誘を手動で受け入れるよう要求し、これにより、対象移動局の現在の動作のモードである自動応答モードは少なくとも一時的に無効になる。セッション勧誘メッセージには媒体も添付されている。一つの例では、セッション勧誘メッセージと共に、記録された音声メッセージが送られる。別の例では、セッション勧誘メッセージと共にビデオ画像が送られる。媒体は他のものでもよい。
【００３０】
工程４０６では、セッション勧誘を受け入れるかどうかを対象移動局のユーザが決定する。工程４０８では、媒体を、セッション勧誘が受け入れられたか拒絶されたかに依存して処理する。この処理には、受け入れられた場合には媒体を対象移動局のユーザに向けて表現する処理が含まれていることがある。一方、拒絶された場合には、媒体はメモリに保管されたり廃棄されたりする。処理操作は他のものでもよい。
【００３１】
図５は、発信移動局と対象移動局との間でなされる思いやり通信のやりとりの別の例である。工程５０２では、セッション勧誘メッセージが形成され発信移動局から対象移動局へと送られる。セッション勧誘は、対象移動局のユーザにセッション勧誘を手動で受け入れるよう要求し、これにより、対象移動局の現在の動作のモードである自動応答モードは少なくとも一時的に無効になる。セッション勧誘メッセージには媒体も添付されている。一つの例では、セッション勧誘メッセージと共に、記録された音声メッセージが送られる。別の例では、セッション勧誘メッセージと共にビデオ画像が送られる。媒体は他のものでもよい。
【００３２】
工程５０４では、セッション勧誘を受け入れるかどうかを対象移動局のユーザが決定する。受け入れられた場合、工程５０６で発信移動局のユーザに受け入れ通知が送られる。工程５０８では、媒体を、セッション勧誘が受け入れられたか拒絶されたかに依存して処理する。この処理には、受け入れられた場合には媒体を対象移動局のユーザに向けて表現する処理が含まれていることがある。一方、拒絶された場合には、媒体はメモリに保管されたり廃棄されたりする。操作は他のものでもよい。工程５１２では、対象移動局は発信移動局に、メッセージの処理が完了したことを示すメッセージを送る。一つの例では、このメッセージが示す内容は、音声メッセージが対象移動局のユーザに向けて再生されたことである。
【００３３】
図６は、発信移動局と対象移動局との間でなされる思いやり通信のやりとりのもう一つの別の例である。工程６０２では、セッション勧誘メッセージが形成され発信移動局から対象移動局へと送られる。セッション勧誘は、対象移動局のユーザにセッション勧誘を手動で受け入れるよう要求し、これにより、対象移動局の現在の動作のモードである自動応答モードは少なくとも一時的に無効になる。セッション勧誘メッセージには媒体も添付されている。一つの例では、セッション勧誘メッセージと共に、記録された音声メッセージが送られる。別の例では、セッション勧誘メッセージと共にビデオ画像が送られる。媒体は他のものでもよい。
【００３４】
工程６０６では、セッション勧誘に対して対象移動局のユーザから回答がない。工程６０８では、セッション勧誘が受け入れられたことを示すものを発信移動局は受信していないので、発信移動局から対象移動局へと終了のメッセージが送られる。終了メッセージが対象移動局に受信され次第、対象移動局は、その対象移動局がまだ持っている媒体のどれかに、その媒体を廃棄するなど何らかの操作をする場合がある。
【００３５】
図７は、対象移動局で受信される媒体の操作の処理を決定するアプローチの一つの例である。工程７０２では、セッション勧誘に対する受け入れ表明又は拒絶表明を対象移動局のユーザから受信する。
【００３６】
受け入れ表明を受信した場合、工程７０４では、媒体をいつ対象移動局のユーザに向けて表現するかが決定される。媒体を実質上すぐにユーザに向けて表現するという決断がなされた場合、工程７０６では、媒体を実質上すぐにユーザに向けて表現してよい。前述のとおり、媒体を実質上すぐに表現するかどうかについての決定は自動でないことがあり、その上更に、多数の要因に基づいていることもある。この要因は、例えば、当の対象移動局がスピーカーフォンを用いているかどうか、当の対象移動局がヘッドセットを用いているかどうか、当の対象移動局の現状、所定のパーセンテージを上回る呼がスピーカーフォンを用いている再生場所に当の対象移動局が位置しているかどうか、などである。
【００３７】
一方、媒体を実質上すぐには表現しないと決定された場合、工程７０８で、移動局は媒体を表現するのを延ばす。この延期は、一定の時間又は不定の時間に亘り生じたり、対象移動局のポリシー又は条件の評価に基づいていたりする。当然のことながら、メッセージを処理するのは他のオプションでもよい。
【００３８】
工程７０２で対象移動局のユーザから拒絶表明を受信した場合、７１０では、媒体に対し何をするかを決定する為に対象移動局のポリシーを照会する。例えば、ポリシーは、優先度の高いメッセージすべてを後で利用できるよう対象移動局に保存するよう指示する。別の例では、ポリシーは、優先度の低いメッセージ群を対象移動局が廃棄するよう指示する。この決断がメッセージの廃棄である場合は、工程７１２で、メッセージを廃棄する。一方、この決断がメッセージの保存である場合は、工程７１４で、後で利用できるようメッセージを保存する。当然のことながら、メッセージを処理するのは他のオプションでもよい。
【００３９】
このように、思いやり通信のやりとりはユーザ同士間で迅速かつ効率的になされる。移動局を用いての必要なユーザの相互作用の回数の低減に伴い、性能の遅延は低減される。なおまた、本アプローチは、ＰＴＴシステムなどの多くの現行の通信ネットワークに支持されている高速の通信を維持し向上させる。
【００４０】
当業者に分かるのは、本発明の精神及び範囲から逸脱することなく、多種多様な、修正と変更と組み合わせたものとを、先に記載された実施形態に対し行うことができることと、このような修正と変更と組み合わせとを本発明の範囲内のものと見なすべきことである。
【図面の簡単な説明】
【００４１】
【図１】本発明に係る思いやり通信のやりとりをするシステムのブロック図。
【図２】本発明に係る思いやり通信のやりとりを容易にする移動局のブロック図。
【図３】本発明に係る移動局で生ずる状態遷移を示す状態遷移図。
【図４】本発明に係る思いやり通信のやりとりをするシステムでのメッセージフローの呼のフロー図。
【図５】本発明に係る思いやり通信のやりとりをするシステムでの別のメッセージフローの呼のフロー図。
【図６】本発明に係る思いやり通信のやりとりをするシステムでのもう一つの別のメッセージフローの呼のフロー図。
【図７】本発明に係るセッション勧誘メッセージを処理するアプローチのフローチャート。
【図１】
2007535885.tif 000003
【図２】
2007535885.tif 000004
【図３】
2007535885.tif 000005
【図４】
2007535885.tif 000006
【図５】
2007535885.tif 000007
【図６】
2007535885.tif 000008
【図７】
2007535885.tif 000009
【国際調査報告】
2007535885.tif 000010